(57)【要約】  【課題】メモリーカードを装着するメモリーカード用コネクタにおいて、装着されているメモリーカードをイジェクトした際に、メモリーカードの飛出しを効果的に防止する。  【解決手段】  挿入されるメモリーカードＭＣに備えるコンタクトＭＣ２と接続することで電気的な接続が可能であり、メモリーカードＭＣを挿入途中位置で仮保持可能なハーフロック機構６を、挿脱側ではないコネクタ側面３１ｂに具備するメモリーカード用コネクタ１において、  ハーフロック機構６を具備するコネクタ側面３１ｂには、メモリーカードＭＣ挿脱側の何れかが該側面と連続するコ字状の溝部６４を設けて形成する片持ち状のハーフロックばね６３ａと、メモリーカードＭＣ挿脱両側が該側面と連続するように平行に溝部６５を設けて形成する両持ち状のハーフロックばね６３ｂとを設け、ハーフロック機構６をメモリーカードＭＣ側へ付勢する。【選択図】  図１
2007141719.tif 000002
【特許請求の範囲】
【請求項１】
押圧部と、押圧部を一方向に付勢可能なばねからなる付勢機構であって、
ばねは、ばね定数の異なる少なくとも二つのばねからなり、各ばねは押圧部に対して該付勢方向の反対側に配置されていることを特徴とする付勢機構。
【請求項２】
前記ばねは、片持ち状の板ばねと両持ち状の板ばねとからなる請求項１に記載の付勢機構。
【請求項３】
挿入されるメモリーカードに備えるコンタクトと電気的な接続が可能であり、メモリーカード側へ押圧することでメモリーカードと係止してメモリーカードを仮保持可能なハーフロック機構を、メモリーカードを挿脱する方向と平行な側面に具備するメモリーカード用コネクタにおいて、
ハーフロック機構を具備するコネクタ側面には、片持ち状のハーフロックばねと両持ち状のハーフロックばねとをそれぞれ近接させて設け、ハーフロック機構をメモリーカード側へ付勢可能なことを特徴とするメモリーカード用コネクタ。
【発明の詳細な説明】
【技術分野】
【０００１】
この発明は、メモリーカード用コネクタにかかる。詳細には、挿入されたメモリーカードをイジェクト機構等によって取出す際に、メモリーカードが飛び出してしまうことを防止可能なメモリーカード用コネクタに関する。
【背景技術】
【０００２】
ＭＰ３オーディオ機器やデジタルカメラ等の電子機器の発達に伴い、これら電子機器に記録媒体を用いることが可能となった。そして、小型化が進むこれら電子機器に合わせメモリーカード等の記録媒体も小型化され、メモリースティックカードやＳＤカード等の各種メモリーカードが利用されるようになった。
これに伴い、メモリーカードを利用する携帯電話等の電子機器では、該メモリーカードを確実に装着できると共に安定した電気的な接続状態を得られるように該メモリーカードを支持できるメモリーカード用コネクタが開発されている。
そして、メモリーカードをこれらメモリーカード用コネクタに装着後、再びメモリーカードを抜取る場合には、イジェクト機構によってメモリーカードの挿入側端部を抜取る方向へ押圧し、メモリーカードとメモリーカード用コネクタとのコンタクト部分の係止を解除させて行っていた。
この場合、イジェクト機構の押圧力によってメモリーカードがメモリーカード用コネクタから飛び出してしまうという問題が生じる。
そこで従来、メモリーカードのメモリーカード用コネクタからの飛出しを防止する機構として、メモリーカードが該コネクタ内にあってしかもメモリーカードのコンタクト部が該コネクタのコンタクトと接続されていない中間位置において仮保持を可能とするハーフロック機構を採用し、ハーフロック機構を備えたメモリーカード用コネクタがあった。
以下に、従来のハーフロック機構を備えたメモリーカード用コネクタを説明する。
【０００３】
ＭＣはメモリーカードであり、メモリーカードＭＣは四方の側面と表裏面とからなる薄板状であり、表面には複数の接触部であるコンタクト部が露呈されており、メモリーカード用コネクタと電気的に接触してデータ交換可能である。
１００は、従来のメモリカード用コネクタである。メモリーカード用コネクタ１００は、図１０乃至図１４に表すように、メモリースティックカード用のコネクタであり、メモリーカードＭＣの形状に合わせた幅を持ったコンタクト面１０１を有する。また、メモリーカードＭＣのコンタクト部と対向するコンタクト面１０１表面には、挿入されたメモリーカードＭＣのコンタクト部と接続可能な複数の接触片１０２を設けてなる。接触片１０２は、表面から裏面側へ突出して設けると共に、表面側に押圧されるとばね力により抗力を発生するように付勢されている。
【０００４】
また、コンタクト面１０１に挿入されたメモリーカードＭＣを挟むように、コンタクト面１０１の対向する両側部からは、メモリーカードＭＣの厚さをもった立設壁１０３を設け、更に立設壁１０３から夫々対向する立設壁側へ突出したカード押え部１０４を設ける。このように立設壁１０３およびカード押え部１０４を設けることで、図１０乃至図１４に表すように、メモリーカードＭＣはコンタクト部を接触片１０２に位置させてメモリーカード用コネクタ１００に装着することが可能となる。
更に又、コンタクト表面１０１の立設壁１０３側には、それぞれ片持状のカード押えばね１０５を設ける。カード押えばね１０５は、メモリーカード用コネクタ１００の挿入口１０６側が支点となるようにコンタクト面１０１を構成している金属板をコ字状に切欠して構成し、カード押え部１０４側へ突出させることで、メモリーカードＭＣが挿入された際にメモリーカードＭＣの表面をカード押え部１０４側へ押圧可能に形成する。
１０７は、イジェクト機構である。イジェクト機構１０７は、接触片１０２とメモリーカードＭＣのコンタクトとが接触し電気的に接続されている挿入状態のメモリーカードＭＣを排出する機構である。イジェクト機構１０７は、詳細は説明しないが、操作部（図示せず）を操作することでメモリーカードＭＣの挿入先端側を排出方向へ押圧する機構を具備している。そして、イジェクト機構１０７の操作部（図示せず）を操作して排出させると、メモリーカードＭＣは接触片１０２とメモリーカードＭＣのコンタクトとの電気的な接続を解除して排出方向へ移動される。
メモリーカードＭＣが排出される際、メモリーカードＭＣ表面はカード押えばね１０５によって押えられているので、排出方向へ勢いよく移動されるメモリーカードＭＣは接触片１０２のばね力による表面に於ける摩擦により、メモリーカード用コネクタ１００からの飛出しを防止されている。
又、メモリーカード用コネクタ１００には、前記メモリーカードＭＣの飛出しを防止するため、挿入されるメモリーカードＭＣをその途中位置で仮保持可能なカードロック機構１０８を有するものがあった。
即ち、ハーフロック機構１０８は、先端側がメモリーカード用コネクタ１００の内側へ突出する係止突起１１０を形成し、基端部１１１がメモリーカード用コネクタ１００に固定され、係止突起１１０側が揺動することで挿入されたメモリーカードＭＣ側へ入出可能であり、係止突起１１０と対向しているメモリーカード用コネクタ１００側面を、該側面を構成している金属板をコ字状に切欠してハーフロックばね１０９を構成し、係止突起１１０を常にメモリーカード用コネクタ１００内方へ付勢している。
ハーフロックばね１０９はハーフロックする際に係止突起１１０をメモリーカードＭＣ側へ押圧する押圧力を与えるばねであり、片持ち板ばねを採用しているものがあった。即ち、図１２に表すように、金属板からなる立設壁１０３にコ字状の切り込み溝１０９ａを設け、立設壁１０３の一部を片持ち状のばね形状に形成し、立設壁１０３と繋がっている基端部１０９ｃを中心に自由端１０９ｂをハーフロック機構１０８の係止突起１１０背面に位置させて、係止突起１１０が立設壁１０３側へ押圧された際の抗力を与えている。このようにハーフロックばね１０９を片持ちばねとして形成する場合には、自由端１０９ｂを有することでばね定数の設定に自由度があり、係止突起１１０へ付与するばね力（ハーフロック力）の調整が容易となる。
又、ハーフロックばね１０９を片持ちばねではなく両持ちばねとし、係止突起１１０へ大きな抗力を付与できるようにしたものもあった。
即ち、図１３に表すハーフロックばね１０９が両持ちばねである。ハーフロックばね１０９は、立設壁１０３の上下に＝字状に切り込み溝１０９ａを設けてハーフロックばね１０９とし、基端部１０９ｄ、１０９ｅが立設壁１０３と接続されて両持ちばねを形成する。
このようにハーフロックばね１０９を両持ちばねとして形成することで、片持ちばねでは実現できない係止突起１１０へのばね力の付与が行えるようになる。
更に、ハーフロックばねを両持ちばねとすることで、ハーフロックばね１０９を設けているメモリーカード用コネクタ１００の立設壁１０３である側面が＝字状の切り込みによってハーフロックばね１０９の両端が連続しているので、立設壁１０３である側面の機械的な強度が維持できる。
このようにハーフロックばね１０９によってメモリーカードＭＣをハーフロック状態とするハーフロック機構１０８を有することで、挿入されるメモリーカードＭＣの挿入側ではない側面に溝部ＭＣ３を設けたメモリーカードＭＣでは、ハーフロック機構１０８の係止突起１１０が、メモリーカードＭＣ挿入時或は排出時に溝部ＭＣ３とハーフロックばね１０９の押圧力によって係止され、ハーフロック状態を維持可能である。
【発明の開示】
【発明が解決しようとする課題】
【０００５】
しかしながら、ハーフロック機構１０８の係止突起１１０をメモリーカードＭＣ側へ付勢するハーフロックばね１０９を片持ちばねとした場合、係止突起１１０をメモリーカードＭＣ側へ押圧させる作用部位が自由端１０９ｂとなり、切り込み溝１０９ａによって立設壁１０３から完全に切り離されており、ばね係数が立設壁１０３を構成する金属板によって決定するのであまり大きな抗力を付与することができないという問題点を有した。
又、ハーフロックばね１０９を片持ちばねとした場合には、ばね力を大きくさせるために切り込み溝１０９ａの幅を大きくすると、立設壁１０３が切り込み溝１０９ａによって分割されてしまうため連続して立設壁１０３を構成している部分が減少し、立設壁１０３の強度を保持出来なくなってしまうという問題点を有した。
【０００６】
一方、ハーフロックばね１０９を片持ちばねとした場合に発生するばね力による係止突起１１０への押圧力不足を解消するため、ハーフロックばね１０９を両持ちばねとする従来例がある。この場合には、ハーフロックばね１０９の両端が立設壁１０３と繋がっているため、片持ちばねとした場合に比し立設壁１０３の機械的強度は保持しやすい。しかしながら、両端が立設壁１０３と連続していることで両持ちばねとしたハーフロックばね１０９ではばね定数が高くなってしまうという問題点を有した。このばね定数の高さは、ばね力の調整、即ち係止突起１１０への押圧力（ハーフロック力）の調整が行いにくいという問題点を誘発するものである。
【０００７】
この発明は、上記問題点に鑑み、ハーフロック機構がメモリーカードと係止して仮保持状態とさせるハーフロック時の押圧力、即ちハーフロック力を大きくできると共にその荷重の調整を容易に可能とさせるメモリーカード用コネクタを提供することを課題とする。
【課題を解決するための手段】
【０００８】
そのためこの発明では、ハーフロック機構等の被押圧体を押圧する際にばね定数の設定を容易にするものとして、
【０００９】
押圧部と、押圧部を一方向に付勢可能なばねからなる付勢機構であって、
ばねは、ばね定数の異なる少なくとも二つのばねからなり、各ばねは押圧部に対して該付勢方向の反対側に配置されていることを特徴とする付勢機構、
【００１０】
を提供する。これにより付勢機構は、押圧部の被押圧体とは反対側から被押圧体方向へばねによって付勢可能となる。そして使用するばねはばね定数の異なる少なくとも２つからなり、特に片持ちばねと両持ちばねというように、一方はばね定数が小さいがばね定数を容易に設定可能なもの（片持ちばね）と他方はばね定数が大きいがばね定数の設定が容易に行えないもの（両持ちばね）とすることで、大きな弾性であり且つ細かな押圧力の調整が可能となる。
更にこの発明では、該付勢機構を利用できるように従来例に挙げたメモリーカード用コネクタの構造を改良し、ハーフロック機構によるメモリーカードの仮保持状態時のハーフロックばね力を大きくすると共にばね定数を比較的容易にするため、
【００１１】
挿入されるメモリーカードに備えるコンタクトと電気的な接続が可能であり、メモリーカード側へ押圧することでメモリーカードと係止してメモリーカードを仮保持可能なハーフロック機構を、メモリーカードを挿脱する方向と平行な側面に具備するメモリーカード用コネクタにおいて、
ハーフロック機構を具備するコネクタ側面には、片持ち状のハーフロックばねと両持ち状のハーフロックばねとをそれぞれ近接させて設け、ハーフロック機構をメモリーカード側へ付勢可能なことを特徴とするメモリーカード用コネクタ、
【００１２】
を提供する。従って、メモリーカード用コネクタは、挿入されているメモリーカードを取出す際に、イジェクト機構等によって勢いよく飛び出そうとしたメモリーカードにハーフロック機構が係止してメモリーカードを仮保持状態とする。この時、ハーフロック機構は、ハーフロック機構のあるコネクタ側面に近接させて設けた片持ち状のハーフロックばねと両持ち状のハーフロックばねとによってメモリーカード側へ押圧されてメモリーカードと係止し、メモリーカードがハーフロック位置で仮保持状態となる。
【発明の効果】
【００１３】
従って、この発明によれば、メモリーカード用コネクタに設けたハーフロック機構をメモリーカード側へ押圧してメモリーカードと係止させるハーフロックばねが、片持ちばねと両持ちばねとを近接させて（具体的には上下に設けて）構成するので、ハーフロックばねを片持ちばねとした場合の利点であるばね定数の設定の容易さを有すると共に、片持ちばねとした場合の欠点であったメモリーカード用コネクタ側面の機械的強度の低下を、両持ちばね構造を片持ちばねと並設することで防ぎ、機械的強度を維持できるという効果を有する。
【００１４】
又、ハーフロックばねを片持ちばねとした場合には大きなばね力によってハーフロック機構を押圧できないという問題点を、両持ちばねを並設することによって両持ちばねの強い押圧力を付与させた上で、片持ちばねのばね定数の設定によって所望の押圧力となるようハーフロック機構のメモリーカードに対する負荷設定を容易にできるという効果を有する。
【発明を実施するための最良の形態】
【００１５】
挿入されるメモリーカードＭＣのカード形状に挿入口を設けたメモリーカード用コネクタ１は、挿入されたメモリーカードＭＣのコンタクト部ＭＣ２と対向する表面位置に、該メモリーカードＭＣのコンタクト部ＭＣ２と接触して電気的に接続する接触片であるコンタクト４を設ける。コンタクト４は、メモリーカード用コネクタ１の内方へ突出し適宜接触圧を付与できるばね力を有して設置させる。
【００１６】
メモリーカード用コネクタ１に挿入されるメモリーカードＭＣの挿脱側ではない側面、即ち、メモリーカード用コネクタ１の左右何れかの側面の、メモリーカードＭＣ挿入途中位置においてメモリーカードＭＣの挿脱側ではない側面に設けられている溝部ＭＣ３と対向する適宜位置に、ハーフロック機構６を設ける。ハーフロック機構６は、先端が該コネクタ１内方へ突出し、揺動基端部６１を揺動中心として溝部ＭＣ３に進退できるように揺動可能な係止突起６２を有する。又、該コネクタ１のハーフロック機構６側の側面には、係止突起６２を該コネクタ１の内方（メモリーカードＭＣ側）へ付勢可能なハーフロックばね６３を設ける。
【００１７】
ハーフロックばね６３は、片持ちばね６３ａと両持ちばね６３ｂとからなり、ハーフロック機構６の係止突起６２背面側に上下に並設させてなる。片持ちばね６３ａは、該コネクタ側面３ａのコンタクト４側が連続される用にコ字状の溝部によって片持ちばね６３ａ片を形成する。又、両持ちばね６３ｂは、片持ちばね６３ａの下方にて上下に溝部を形成し、該コネクタ側面３ａのメモリーカード挿脱両側が連続されて支持される両持ちばね６３ｂ片を形成する。
従って、ハーフロック機構６の係止突起６２は、メモリーカードＭＣの溝部ＭＣ３から離脱する際には、ハーフロックばね６３の付勢力に抗してメモリーカードＭＣの溝部ＭＣ３外へ離脱する。この離脱は、メモリーカードＭＣをメモリーカード用コネクタ１から引抜く際に、半円形に形成された溝部ＭＣ３に案内されて行われる。
一方、ハーフロック機構６とメモリーカードＭＣを介して対向するコネクタ１の側面には、メモリーカードＭＣをハーフロック機構６側へ押圧するばね力をもつカード押えばね７を設ける。カード押えばね７は、片持ち支持状に設ける板ばねであり、メモリーカードＭＣ挿入口側を基端部として挿入奥側が該コネクタ１内方へ位置する自由端となるように設ける。
【実施例１】
【００１８】
以下に、この発明の実施例を図面に基づき説明する。図１はこの発明の実施例を表す斜視説明図であり、図２は同説明図で（ａ）は平面説明図であり（ｂ）は正面説明図であり（ｃ）は背面説明図であり（ｄ）は左側面説明図であり（ｅ）は右側面説明図であり、図３は図２（ａ）のＡ−Ａ線断面説明図であり、図４は図２（ｂ）のＢ−Ｂ線断面説明図であり、図５は図２（ａ）のＣ−Ｃ線断面説明図であり、図６はメモリーカードを表す斜視説明図であり、図７はハーフロックばねを表す斜視説明図であり、図８は図７を下方から見た一部拡大説明図であり、図９はハーフロックばねの他の実施例を表す説明図である。
【００１９】
１は、この発明の実施例であるメモリーカード用コネクタである。メモリーカード用コネクタ１は、挿入されたメモリーカードＣと電気的な接続を可能とするコネクタであり、図１に表すように、挿入されたメモリーカードＭＣを保持するハウジング２と、ハウジング２の両端から延設されてやはりメモリーカードＭＣを保持するカード保持部３と、ハウジング２に挿入されたメモリーカードＭＣと接触することで電気的な接続を成す接触片であるコンタクト４とからなる。
【００２０】
ここで、メモリーカード用コネクタ１に挿入して用いるメモリーカードＭＣについて説明する。メモリーカードＭＣは、電気的な接続を行い他の機器等と情報交換あるいは信号授受を行うためのコンタクト部ＭＣ２がカード表面に露出されているカードであり、メモリースティックカード等である。そこで、図１に基づいてメモリーカードＭＣの構造を説明する。
メモリーカードＭＣは、カード表面ＭＣ１の一方端にコンタクト部ＭＣ２が露出した状態に並設してなる。このコンタクト部ＭＣ２は、メモリーカード用コネクタ１への挿入側端部に該端部と平行に複数並設され、この実施例においては１０カ所に設けられるカードである。そして、該カードコンタクト部ＭＣ２は、カード表面ＭＣ１から凹状にコンタクト表面が位置されている。又、カード表面ＭＣ１の端部のうち、メモリーカード用コネクタ１への挿入時にハーフロック機構６と対向する端部には、ハーフロック側側面ＭＣ４まで連続する半円状の溝部ＭＣ３が形成される。この溝部ＭＣ３は、メモリーカード用コネクタ１に設けるハーフロック機構６が係止される溝で半円形状に設けられており、ハーフロック機構６の係止突起６２と係止する位置でメモリーカードＭＣが挿入途中で仮保持状態となる。又、メモリーカードＭＣのハーフロック側側面ＭＣ４と対向する側面は押圧側側面ＭＣ５であり、カード押えばね７によって押圧される側の側面である。
【００２１】
次にメモリーカード用コネクタ１の詳細を説明する。
メモリーカード用コネクタ１は、平面視略長方形状を成すハウジング２が本体を形成する。ハウジング２は、薄板状の金属板材からなり、ハウジング２の両サイドは、カードを保持可能なカード保持部３をそれぞれ対向させて延設するように折曲して形成し、更にその先端を折曲することでコ字状に保持溝３１を形成する。従ってメモリーカードＭＣの挿脱側ではない側面と対向するコ字状に折曲したカード保持部３が、メモリーカード用コネクタ１の側面を構成する。カード保持部３は、コ字状の保持溝３１を有し、該溝３１を相互に対向させてカード保持部３ａ及びカード保持部３ｂとして設ける。カード保持部３のコ字状の保持溝３１がメモリーカードＭＣを支え且つ挿脱時のガイドとなる。従って、メモリーカード用コネクタ１は、ハウジング２の両サイドからカード保持部３が腕状に突出した形状からなり、図１等に表すようにメモリーカードＭＣを保持溝３１に沿って挿入されることで保持可能である。
【００２２】
そして、カード保持部３を設けていない一対のハウジング２端部のうち一方の端部側には、対向して設ける保持部３へメモリーカードＭＣを挿入可能なカード挿入口２３を形成する。又、ハウジング２のカード挿入側口２３と対向する側には、メモリーカードＭＣのコンタクト部ＭＣ２と接触して電気的に接続するコンタクト４を並設する。そして、ハウジング２のハウジング裏面２２は挿入されたメモリーカードＭＣのカード表面ＭＣ１と対向される。
【００２３】
コンタクト４は、カード挿入口２３を設けた端部と対向するハウジング２の端部且つハウジング裏面２２側に設置される。コンタクト４の設置には、ハウジング２本体が金属板であるのでこれとは絶縁状態に絶縁材からなるコンタクト固定部２４によってメモリーカードＭＣのコンタクト部ＭＣ２に対応する位置へ固定する。そして、コンタクト４の基端部４１は、メモリーカード用コネクタ１を実装する電子回路基板等に電気的に固定できるようメモリーカード用コネクタ１の外部へ位置する。又、コンタクト４の基端部４１と対向する端部は接点部４２を形成し、メモリーカード用コネクタ１の裏面側に突出するように位置される。
【００２４】
カード保持部３の一方、即ちこの実施例では図２（ａ）中の右側に表すカード保持部３ａには、イジェクト機構５を設ける。イジェクト機構５は、メモリーカード用コネクタ１に装着されたメモリーカードＭＣを取出す際に、操作部を操作することでメモリーカードＭＣの挿入側側面ＭＣ６をカード挿入口２３側へ押出す機構であり、一般的に用いられている機構なので詳説は略する。
更にカード保持部３ａにはハーフロック機構６を設ける。ハーフロック機構６は、イジェクト機構５のカード挿入口２３側に設け、メモリーカード用コネクタ１に挿入されるメモリーカードＭＣのコンタクト部ＭＣ２がコンタクト４と接続される前の途中位置に於て、メモリーカードＭＣの溝部ＭＣ３と係止することで仮保持状態とするものである。ハーフロック機構６は、一端である揺動基端部６１がカード保持部３ａに係止され、他端である揺動端が係止突起６２を形成してメモリーカードＭＣ側へ進退揺動可能に形成する。そして、係止突起６２側が揺動基端部６１よりカード挿入口２３側へ位置されて設置され、係止突起６２は挿入されるメモリーカードＭＣ側へ突出して設ける。係止突起６２は、カード挿入口２３側（挿入手前側）が、緩やかな傾斜面を形成し、コンタクト４側（挿入奥側）が挿脱方向と略直角に形成する。係止突起６２の形状をこのようにすることで、メモリーカードＭＣ挿入時には、係止突起６２の緩やかな傾斜面に沿ってメモリーカードＭＣが容易に挿入でき、メモリーカードＭＣ引抜き時には、挿脱方向と略直角に形成する面がメモリーカードＭＣの溝部ＭＣ３と係止し、ハーフロック状態（仮保持状態）で容易に停止可能となる。
【００２５】
又、ハーフロック機構６の係止突起６２と対向するカード保持部３ａには、図２（ｅ）に表すように、ハーフロックばね６３を設ける。ハーフロックばね６３は、カード保持部３ａの構造体である金属板を切欠加工して一体的に形成し、メモリーカードＭＣの挿脱方向と交差する方向である上下方向に、片持ちばね６３ａ及び両持ちばね６３ｂを並設して形成する。片持ちばね６３ａはハウジング２に延設して設けるカード保持部３ａを形成している金属板の中央より上方にコ字状のスリット６４を入れ、スリット６４によって分離された金属板によって構成する。従って、片持ちばね６３ａは、片持ちばねのばね力により押圧部である係止突起６２をメモリーカードＭＣ側へ付勢する。又、両持ちばね６３ｂは片持ちばね６３ａの下方に位置するように設ける。両持ちばね６３ｂは上下に＝字状にスリット６５を入れることで、メモリーカードＭＣ挿脱側両端がカード保持部３ａと連続する両持ち状のばねとして形成される。この時、＝字状の上部のスリットは両持ちばね６３ｂの上部に設けた片持ちばね６３ａのコ字状スリット６４の下部スリットを兼用する。従ってハーフロックばね６３は、それぞれ係止突起６２との接点が係止突起６２に対してメモリーカードＭＣを付勢する方向の反対側に配置されており、係止突起６２を該コネクタ１の内方、即ち挿入されたメモリーカードＭＣ側へ付勢可能なばね力を有する。
【００２６】
このように形成するハーフロックばね６３では、片持ちばね６３ａは先端が支持されておらず、その形状からあまり大きなばね力を付与できないが、先端をメモリーカード用コネクタ１内方へ曲げる量によって比較的容易にばね定数が設定できる。又、両持ちばね６３ｂは、その両端がカード保持部３ａと連続している形状から、ばね定数の設定の自由度は両持ちばね６３ｂに比して落ちるものの大きなばね力を付与することが可能である。従って、ハーフロックばね６３を片持ちばね６３ａ並びに両持ちばね６３ｂによって構成することで、ハーフロック機構６の係止突起６２へ付与する大きなばね力は両持ちばね６３ｂによって行い、係止突起６２が揺動した際に係止突起６２を押圧する負荷の細かい設定は、比較的容易に設定できる片持ちばね６３ａのばね定数を適宜設定して行うことで、良好なばね力を有するハーフロックばね６３を提供できる。
そして、ハーフロック機構６の係止突起６２は、仮保持状態を希望する中途位置においてメモリーカードＭＣの溝部ＭＣ３と対向するカード保持部３ａ位置で、メモリーカードの溝部ＭＣ３側へ突出した状態となるため、所望の位置で仮保持状態を保つことができる。
尚、この実施例では、ハーフロックばね６３は、片持ちばね６３ａと両持ちばね６３ｂとをメモリーカードＭＣの厚さ方向に並べて設けることで、片持ちばね６３ａと両持ちばね６３ｂとを近接させたが、図９に表すように、片持ちばね６３ａをハウジング２側面のメモリーカードＭＣの裏面側が片持ち支持部となるようにしハウジング２の表面側にかけて作用部を延設し、両持ちばね６３ｂはハウジング２の側面の上下側が両持ち支持部となるようにし、それぞれ隣合うようにハウジング２側面に設けても良く、また、ハウジング２側面の上下に架けてではなく、同様にハウジング２側面の上下がそれぞれのばねの支持部となるように上下方向に傾けて設けても良い。
【００２７】
７は、カード押えばねである。カード押えばね７は、図２乃至図５に表すように、カード保持部３ａと対向するカード保持部３ｂに設ける。カード押えばね７は、金属板からなる板ばねであり、一端がカード保持部３ｂのカード挿入側端２３側に固定される基端部７１であり、他端がＬ字状に折曲されて自由端７２を形成する。そして、カード押えばね７の自由端７２はカード保持部３ａ側へ突出して設けてあり、カード挿入側端２３側からメモリーカードＭＣが挿入されると、メモリーカードＭＣの押圧側側面ＭＣ５により付勢力に抗してカード保持部３ｂ側へ押されることで、メモリーカードＭＣをカード保持部３ａ側へ押圧可能である。カード押えばね７は、メモリーカードＭＣを実質的に押圧する自由端７２側がカード保持部３ａに設けたハーフロック機構６の係止突起６２と対向する位置に設けるのが望ましく、このように設けることで、メモリーカードＭＣが脱抜される際に飛出しを防止するハーフロック機構６側へ効率よく押圧することができるが、本実施例のように稍ハーフロック機構６の係止突起６２からずれた位置にあっても差し支えない。しかしながら、例えばカード押えばね７の自由端がカード保持部３ｂの最もカード挿入側端２３に位置していたり、或は、ハウジング２の最も奥側（コンタクト４側）に位置していた場合には、カード押えばね７の押圧力がメモリーカードＭＣの角部を押圧することとなり、ハウジング２内に挿入された状態でメモリーカードＭＣを斜めに位置させてしまう虞があるので好ましくない。
この実施例では、カード押えばね７は片持ち状の板ばねを用いたが、挿入されるメモリーカードＭＣをカード保持部３ａ側へ押圧する所望の力が得られるように両端を支持した両持ちばねやコイルスプリングの先端に両端を折曲させた板状体を取付けカード保持部３ｂから突出させた押圧手段等適宜選択すればよい。
【００２８】
このように構成するメモリーカード用コネクタ１の作用を以下に説明する。
メモリーカード用コネクタ１の挿入側端２３からメモリーカードＭＣを挿入する。この時、メモリーカードＭＣはコンタクト部ＭＣ２側から挿入する。挿入されたメモリーカードＭＣは、カード保持部３ｂに取付けてあるカード押えばね７をカード保持部３ｂ側へ押すと共にハーフロック機構６の係止突起６２をハーフロックばね６３の押圧に抗しながらハウジング２内へ挿入されて行き、やがてハーフロック機構６の係止突起６２がメモリーカードＭＣの溝部ＭＣ３に位置すると、係止突起６２が溝部ＭＣ３へ入り込み、ハーフロックばね６３による係止突起６２の押圧は解除されるか小さくなりハーフロック状態となる。しかしながら、更にメモリーカードＭＣを挿入すべく押圧することで係止突起６２が溝部ＭＣ３から外れてこのハーフロック状態は解除され、挿入時同様にハーフロックばね６３及びカード押えバネ７を押圧しながらメモリーカードＭＣは更に奥へ挿入され、やがてメモリーカードＭＣのコンタクト部ＭＣ２がコンタクト４をハウジング表面２１側へ押圧して停止し、所定の挿入位置でメモリーカードＭＣのコンタクト部ＭＣ２とコンタクト４とが電気的に接続される。
【００２９】
メモリーカードＭＣとメモリーカード用コネクタ１とが電気的に接続された状態から、メモリーカードＭＣをメモリーカード用コネクタ１から抜くには、イジェクト機構５の操作部（図示せず）をメモリーカードＭＣを抜取るように操作する。すると、イジェクト機構５によってメモリーカードＭＣの挿入側側面ＭＣ６をカード挿入側端２３側へ押圧し、コンタクト４とコンタクト部ＭＣ２との係止を解除すると共に、メモリーカードＭＣをカード挿入側端２３側へ飛び出させる。
これによりメモリーカードＭＣは、カード挿入側端２３側へ飛び出すように移動するが、ハーフロックばね６３及びカード押えばね７の横方向への押圧により、メモリーカードＭＣの溝部ＭＣ３がハーフロック機構６の係止突起６２に位置した際に係止突起６２が溝部ＭＣ３へ入り込みハーフロック状態でメモリーカードＭＣは停止する。
【００３０】
この時、ハーフロックばね６３が片持ちばね６３ａのみからなる場合には、ばね力が弱く、メモリーカードＭＣの溝部ＭＣ３に入り込んでハーフロック状態となった係止突起６２がイジェクト時の勢いによって係止突起６２と溝部ＭＣ３との係止状態を解除してしまい、メモリーカードＭＣをメモリーカード用コネクタ１から飛び出させてしまう場合があるが、この実施例では、ばね力を強化するために両持ちばね６３ｂを付加しているので飛出しを防止できる。
【００３１】
又、ハーフロックばね６３が両持ちばね６３ｂのみの場合には、ばね定数の設定が難しく、即ち付与するばね力の調整が上手くできず、イジェクト時に余計な力が必要となってしまった。又、ハーフロックばね６３のばね力によるメモリーカードＭＣとメモリーカード用コネクタ１との摩擦によりイジェクト時にハーフロック位置までメモリーカードＭＣを排出できず係止突起６２と溝部ＭＣ３とが係止できる位置よりも手前でメモリーカードＭＣが停止してしまい、コンタクト４とメモリーカードＭＣのコンタクト部ＭＣ２とが確実に切断されない状態となってしまう等の問題があった。しかしながら、両持ちばね６３ｂのばね力を予め所望より小さくなるようにしておき、不足分をばね定数の設定が比較的容易な片持ちばね６３ａによって適宜ばね力（メモリーカードＭＣへの負荷）となるように設定できる。
【００３２】
この状態ではメモリーカードＭＣは、メモリーカード用コネクタ１との電気的な接続は解除されたものの、未だメモリーカード用コネクタ１内にあるので、メモリーカードＭＣを抜取るために利用者がメモリーカードＭＣを抜取るように引く。
すると、メモリーカードＭＣの溝部ＭＣ３に入り込んでいた係止突起６２は、溝部ＭＣ３との係止を解除するように背面側（カード保持部３ａ側）のハーフロックばね６３の押圧に抗してハーフロックばね６３をメモリーカードＭＣとは反対の方向へ押し、溝部ＭＣ３との係止を解除する。
メモリーカードＭＣの溝部ＭＣ３とハーフロック機構６の係止突起６２との係止が解除されたことで、メモリーカードＭＣはメモリーカード用コネクタ１から抜取られる。
尚、上記実施例では、ハーフロック機構６を具備するメモリーカード用コネクタ１に被押圧体を押圧する押圧部であるハーフロック機構６を設けた例であるが、上記実施例に表す片持ちばね６３ａおよび両持ちばね６３ｂのようなばね係数の異なる複数のばねによって押圧部を被押圧体側へ付勢するように構成されていれば、メモリーカード用コネクタ１に限らず、他の機器への利用も可能である。
この例を上記実施例で例えれば、メモリーカード用コネクタ１がハーフロック機構６を具備していない場合に、カード押えばね７を設けた側面と対向する側面にも同様のカード押えばね７を設け、両側のカード押えばね７のばね係数が挿入されるカードをほどよく押圧して押さえられるように構成してもよい。この時カード押えばね７は、ハーフロックばね６３のように片持ちばね６３ａと両持ちばね６３ｂとから構成して適宜押圧力の調整をするように片持ちばね６３ａのばね係数を調整しておけば良い。
またこのように、被押圧体に対して適宜押圧力となるようにばね係数を調整可能に複数のばねを用いて押圧する付勢機構であれば、ビデオカセットテープの取出し時の飛出し防止機構等メモリーカードのような小さな被押圧体ではなく大きな被押圧体にも利用しても良い。
【産業上の利用可能性】
【００３３】
この発明の提供する付勢機構は、被押圧体を適宜押圧力で押圧する付勢機構を必要とする電子機器に利用可能であり、具体的には、比較的大きな被押圧体であるビデオカセットテープ等の取出し時の飛出し防止機構や比較的小さなメモリーカード等の飛出し防止機構に利用できる。また、適宜調整された付勢力を持って被押圧体を押える機構なので、被押圧体移動時に抵抗を持たせたい場合等飛出し防止機構以外の機構に用いることもできる。
更にこの発明の提供する付勢機構を用いたメモリーカード用コネクタは、メモリーカードを用いる電子機器の部品としてのメモリーカード用コネクタに利用でき、メモリーカードの種類も種々のものに対応可能である。
【図面の簡単な説明】
【００３４】
【図１】この発明の実施例を表す斜視説明図
【図２】同説明図で（ａ）は平面説明図、（ｂ）は正面説明図、（ｃ）は背面説明図、（ｄ）は左側面説明図、（ｅ）は右側面説明図
【図３】Ａ−Ａ線断面説明図
【図４】Ｂ−Ｂ線断面説明図
【図５】Ｃ−Ｃ線断面説明図
【図６】メモリーカードを表す斜視説明図
【図７】ハーフロックばねを表す斜視説明図
【図８】図７を下方から見た一部拡大説明図
【図９】他の実施例を表す説明図
【図１０】従来例を表す斜視説明図
【図１１】図１０の一部拡大説明図
【図１２】従来のハーフロックばねを表す説明図
【図１３】他の従来のハーフロックばねを表す説明図
【図１４】従来例を表す説明図であり（ａ）は平面説明図、（ｂ）は正面説明図、（ｃ）は右側面説明図
【符号の説明】
【００３５】
ＭＣ  メモリーカード
ＭＣ１  カード表面
ＭＣ２  コンタクト部
ＭＣ３  溝部
ＭＣ４  ハーフロック側側面
ＭＣ５  押圧側側面
ＭＣ６  挿入側側面
１  メモリーカード用コネクタ
２  ハウジング
２１    ハウジング表面
２２    ハウジング裏面
２３    カード挿入口
２４    コンタクト固定部
３  カード保持部
３ａ    コネクタ側面
３ｂ    コネクタ側面
３１    保持溝
４  コンタクト
４１    基端部
４２    接点部
５  イジェクト機構
６  ハーフロック機構
６１    揺動基端部
６２    係止突起
６３    ハーフロックばね
６３ａ  片持ちばね
６３ｂ  両持ちばね
６４    コ字状スリット
６５    ＝字状スリット
７  カード押えばね
７１    基端部
７２    自由端
【図１】
2007141719.tif 000003
【図２】
2007141719.tif 000004
【図３】
2007141719.tif 000005
【図４】
2007141719.tif 000006
【図５】
2007141719.tif 000007
【図６】
2007141719.tif 000008
【図７】
2007141719.tif 000009
【図８】
2007141719.tif 000010
【図９】
2007141719.tif 000011
【図１０】
2007141719.tif 000012
【図１１】
2007141719.tif 000013
【図１２】
2007141719.tif 000014
【図１３】
2007141719.tif 000015
【図１４】
2007141719.tif 000016